(57)【要約】【課題】開口部に縦枠が取り付けられている場合に、横枠によって上方から支持された引戸と壁部との間の距離を短くすることを目的とする。【解決手段】引戸構造１は、壁部２１に形成された開口部の上下方向に沿って設置され、長さ方向の一方の端部２ａが天井面２２に対向するように取り付けられる見切り材２と、上面３ｃが天井面２２に設置され、開口部を開閉する引戸１０をスライド移動可能に上方から支持するレール付き横枠３とを備え、見切り材２は、端部２ａにおいてレール付き横枠３の断面形状に対応して切り欠かれた切欠部１３を有し、切欠部１３において少なくともレール付き横枠３の一部が当接される。【選択図】図７
2020180525.tif 000002
【特許請求の範囲】
【請求項１】
壁部に形成された開口部の上下方向に沿って設置され、長さ方向の一端部が天井面に対向するように取り付けられる縦枠と、
上面が前記天井面に設置され、前記開口部を開閉する引戸をスライド移動可能に上方から支持する横枠と、
を備え、
前記縦枠は、前記一端部において前記横枠の断面形状に対応して切り欠かれた切欠部を有し、前記切欠部において少なくとも前記横枠の一部が当接される引戸構造。
【請求項２】
前記縦枠は、前記壁部の壁面よりも前記引戸側に突出しており、かつ、前記縦枠の前面は、前記引戸よりも前記壁面側に位置する請求項１に記載の引戸構造。
【請求項３】
前記横枠は、
前記引戸がスライドするレールと、
前記レールを収容する横枠本体と、
を有し、
前記横枠は、前記横枠本体の側面が前記壁部に接するように設置される請求項１又は２に記載の引戸構造。
【請求項４】
前記引戸の戸先側における前記横枠の長さ方向端部は、前記開口部の側面よりも前記壁部側に位置する請求項１から３のいずれか１項に記載の引戸構造。
【発明の詳細な説明】
【技術分野】
【０００１】
本発明は、引戸構造に関するものである。
【背景技術】
【０００２】
引戸構造の種類として、引戸が開口部の内側ではなく外側を移動するアウトセット引戸が知られている。アウトセット引戸では、開口部に隣接する壁部に沿って引戸がスライドできるようにレールが設置される。また、床に敷居やレールを設けなくてもよいように、上側から引戸を吊る上吊り引き戸がある。上吊り引戸では、レールが引戸の上方に設置され、引戸に設置された吊車がレールに沿ってスライドする。
【０００３】
アウトセット上吊り引戸において、天井高の開口部に対して引戸を開閉するタイプのもの（ハイドア又はフルハイトドアなどとも呼ばれる。）がある（例えば下記の特許文献１）。このタイプでは、レールを設けた横枠（以下「レール付き横枠」という。）が天井内に設置されたり、天井面に取り付けられたりする。
【先行技術文献】
【特許文献】
【０００４】
【特許文献１】特開２０１２−１１２１１４号公報
【発明の概要】
【発明が解決しようとする課題】
【０００５】
引戸が設置される開口部が壁部に形成されるとき、開口部の側面において壁材が露出しないように、又は、角部が保護されるように、例えば枠材や見切り材（コーナーガード材）といった縦枠が設置される。縦枠は、開口部の側面における角部を覆う形状を有し、壁面から引戸側（開口部の奥行方向）に突出している。
【０００６】
アウトセット上吊り引戸に用いられるレール付き横枠は、例えば鴨居とレールを備え、鴨居の内部にレールが内蔵され、レールが鴨居に覆われるように設置される。鴨居は、四角形状の断面を有し、長手方向に対して垂直な幅方向（開口部の奥行方向）に厚みを有する。
【０００７】
天井高の開口部に対して引戸を開閉するタイプでは、アウトセット上吊り引戸のレール付き横枠の設置場所は、天井面である。レール付き横枠が天井面に取り付けられる場合、レール付き横枠の下面は、天井面や開口部の上面よりも下側に位置する。したがって、開口部の上方に垂れ壁が設けられ、垂れ壁にレール付き横枠が設置される場合と異なり、開口部の上面よりも下方にレール付き横枠の下面が位置する。そのため、開口部の奥行方向において壁面から引戸側に突出した縦枠が、レール付き横枠と交差して、縦枠とレール付き横枠が互いに干渉してしまう。
【０００８】
また、縦枠は開口部の奥行方向において壁面から引戸側に突出し、かつ、鴨居は奥行方向において厚みがあることから、引戸が開口部を閉じたとき、引戸と壁部の間の距離が大きくなりやすい。その結果、引戸と壁部の間に比較的大きな隙間が形成され、光が漏れやすくなるという問題が生じる。
【０００９】
本発明は、このような事情に鑑みてなされたものであって、開口部に縦枠が取り付けられている場合に、横枠によって上方から支持された引戸と壁部との間の距離を短くすることが可能な引戸構造を提供することを目的とする。
【課題を解決するための手段】
【００１０】
上記課題を解決するために、本発明の引戸構造は以下の手段を採用する。
すなわち、本発明に係る引戸構造は、壁部に形成された開口部の上下方向に沿って設置され、長さ方向の一端部が天井面に対向するように取り付けられる縦枠と、上面が前記天井面に設置され、前記開口部を開閉する引戸をスライド移動可能に上方から支持する横枠とを備え、前記縦枠は、前記一端部において前記横枠の断面形状に対応して切り欠かれた切欠部を有し、前記切欠部において少なくとも前記横枠の一部が当接される。
【００１１】
この構成によれば、縦枠が、壁部に形成された開口部の上下方向に沿って設置され、縦枠の一端部が天井面に対向するように取り付けられる。また、上面が天井面に設置される横枠が、開口部を開閉する引戸をスライド移動可能に上方から支持する。縦枠は、一端部において切欠部が形成され、横枠の断面形状に対応して切り欠かれており、切欠部には少なくとも横枠の一部が当接される。これにより、横枠が、縦枠の切欠部に当接されて設置されることで、横枠を縦枠の前面よりも壁部側に設置できる。したがって、横枠から支持された引戸と壁部との間の距離を短くでき、開口部が引戸によって閉じられたときの密閉性が向上する。
なお、縦枠の一端部が天井面に対向し、かつ、接するように取り付けられれば、縦枠が天井と隙間なく連続することから、縦枠の一端部に埃などが溜まらず、また、一体感のある美感が得られる。
【００１２】
上記発明において、前記縦枠は、前記壁部の壁面よりも前記引戸側に突出しており、かつ、前記縦枠の前面は、前記引戸よりも前記壁面側に位置してもよい。
【００１３】
この構成によれば、縦枠が壁部の壁面よりも引戸側に突出し、かつ、縦枠の前面は、引戸よりも壁面側に位置することから、引戸と壁部との間の隙間が、縦枠によって狭められる。また、引戸を閉じたとき、引戸の戸先が縦枠よりも引戸のスライド方向前方に位置するように、引戸が設置される。
【００１４】
上記発明において、前記横枠は、前記引戸がスライドするレールと、前記レールを収容する横枠本体とを有し、前記横枠は、前記横枠本体の側面が前記壁部に接するように設置されてもよい。
【００１５】
この構成によれば、横枠はレールと横枠本体を有し、レールにおいて引戸がスライドし、横枠本体にはレールが収容される。横枠は、横枠本体の側面が壁部に接するように設置されることから、引戸と壁部の間の間隔が狭くなる。なお、横枠本体は、レールよりも壁部側に延びていることから、横枠から支持された引戸と壁部の間には横枠本体の奥行方向の厚み部分によって引戸と壁部の間に間隔が形成される。
【００１６】
上記発明において、前記引戸の戸先側における前記横枠の長さ方向端部は、前記開口部の側面よりも前記壁部側に位置してもよい。
【００１７】
この構成によれば、横枠は、引戸の戸先側において、開口部の側面よりも壁部側、すなわち、開口部の外側に延びている。これにより、引戸が開口部を閉じたとき、引戸の戸先が開口部の側面に対してスライド方向前方に位置し、引戸は開口部の幅方向のすべてを覆うことができる。
【発明の効果】
【００１８】
本発明によれば、開口部に縦枠が取り付けられている場合に、横枠によって上方から支持された引戸と壁部との間の距離を短くすることができ、その結果、開口部が引戸によって閉じられたときの密閉性を向上させることができる。
【図面の簡単な説明】
【００１９】
【図１】本発明の一実施形態に係る引戸構造を示す正面図であり、引戸によって開口部が閉じられた状態を示す。
【図２】本発明の一実施形態に係る引戸構造を示す背面図であり、引戸によって開口部が閉じられた状態を示す。
【図３】図１のＡ−Ａ線で切断した横断面図である。
【図４】本発明の一実施形態に係る引戸構造を示す正面図であり、引戸によって開口部が開かれた状態を示す。
【図５】本発明の一実施形態に係る引戸構造を示す背面図であり、引戸によって開口部が開かれた状態を示す。
【図６】図４のＢ−Ｂ線で切断した横断面図である。
【図７】図４のＣ−Ｃ線で切断した縦断面図である。
【図８】本発明の一実施形態に係る引戸構造の見切り材を示す平面図（ａ）、底面図（ｂ）、正面図（ｃ）、背面図（ｄ）、左側面図（ｅ）及び右側面図（ｆ）である。
【図９】本発明の一実施形態に係る引戸構造のレール付き横枠を示す分解斜視図（ａ）及び斜視図である。
【図１０】本発明の一実施形態に係る引戸構造の第１及び第２変形例を示す横断面図であり、引戸によって開口部が閉じられた状態を示す。
【図１１】本発明の一実施形態に係る引戸構造の第１変形例を示す縦断面図である。
【図１２】本発明の一実施形態に係る引戸構造の第２変形例を示す縦断面図である。
【図１３】本発明の一実施形態に係る引戸構造の第３変形例を示す横断面図であり、引戸によって開口部が閉じられた状態を示す。
【発明を実施するための形態】
【００２０】
以下に、本発明に係る実施形態について、図面を参照して説明する。
本発明の一実施形態に係る引戸構造１は、図１〜図７に示すように、引戸１０を上方から吊って支持する上吊り引戸に適用される。また、引戸構造１は、引戸１０が開口部２０の内側ではなく外側を移動するアウトセット引戸に適し、引戸１０は壁部２１に沿ってスライドする。
【００２１】
本実施形態に係る引戸構造１は、レール付き横枠３の上面３ｃが天井面２２に取り付けられ、天井高の開口部２０に対してほぼ同高さの引戸１０によって開口部２０を開閉可能とする。本実施形態に係る引戸構造１が設置される開口部２０は、壁部２１に形成され、高さが床面２３から天井面２２までの天井高と同一高さを有する。図１〜図３に示すように、引戸１０は、開口部２０を閉じたとき、開口部２０を覆う。引戸１０の高さは、天井高よりも短い長さを有する。引戸１０の幅は、開口部２０の幅よりも長く、引戸１０が開口部２０を閉じたとき、引戸１０の戸先１０ａは、開口部２０の側面２０ａに対してスライド方向前方に位置し、引戸１０の戸尻１０ｂは、開口部２０の側面２０ｂに対してスライド方向後方に位置する。その結果、引戸１０は開口部２０の幅方向のすべてを覆う。
【００２２】
引戸構造１は、見切り材２と、レール付き横枠３を有する。なお、引戸構造１は、床面２３にストッパー４やガイドピン５が設置されてもよい。ストッパー４は、引戸１０を全閉したときの引戸１０の戸先１０ａに対応した位置や、引戸１０を全開したときの引戸１０の戸尻１０ｂに対応した位置にそれぞれ設置される。ストッパー４は、引戸１０の可動範囲を制限する。ガイドピン５は、図４及び図５に示すように、引戸１０が開口部２０を開放した位置にあるときに引戸１０が位置している壁部２１側であって、開口部２０の側面２０ｂの近傍に設置される。引戸１０の下面１０ｄに形成された溝（図示せず。）がガイドピン５に嵌合しており、引戸１０の揺動が抑制される。
【００２３】
見切り材２は、一方向に長い長尺状部材であり、開口部２０の側面２０ａ，２０ｂに上下方向に沿って設置される。見切り材２は、開口部２０の側面２０ａ，２０ｂに１本ずつ設置される。２本の見切り材２は、例えば、左右対称の形状を有する。なお、見切り材２は、開口部２０の側面２０ａ，２０ｂの一方のみに設置されてもよいし、側面２０ａ，２０ｂの両方に設置される場合において、必ずしも左右対称の形状でなくてもよい。
【００２４】
見切り材２は、長さが開口部２０の高さとほぼ一致しており、図７に示すように、長さ方向の一方の端部２ａが天井面２２と対向して接し、他方の端部が床面２３と対向して接する。見切り材２の端部２ａが天井面２２に対向し、かつ、接するように取り付けられれば、見切り材２が天井面２２と隙間なく連続することから、見切り材２と天井面２２の間に埃などが溜まらず、また、一体感のある美感が得られる。なお、見切り材２の床面２３側の端部と床面２３との関係についても同様である。見切り材２は、縦枠の一例である。
【００２５】
見切り材２は、開口部２０の側面２０ａ又は側面２０ｂにおける角部を覆う形状であり、例えば、断面がＬ字形状を有する。すなわち、見切り材２は、開口部２０の側面２０ａ又は側面２０ｂと、引戸１０が設置される側である壁部２１の前面（正面）側の壁面２１ａの２つの面を覆う。見切り材２によって、開口部２０の角部において凹みなどの傷の発生が防止されたり、開口部２０の側面２０ａ，２０ｂに貼付される壁紙の継ぎ目が覆われたりして、壁紙の剥離が抑制される。
【００２６】
見切り材２は、図３及び図６に示すように、開口部２０に設置されたとき、壁部２１の壁面２１ａよりも引戸１０側に突出しており、かつ、見切り材２の前面は、引戸１０よりも壁面２１ａ側に位置する。これにより、引戸１０と壁部２１との間の隙間が、見切り材２によって狭められる。また、引戸１０が開口部２０を閉じたとき、引戸１０の戸先１０ａが見切り材２よりも引戸１０のスライド方向前方に位置するように、引戸１０が設置される。引戸１０が開閉のため移動するときは、引戸１０が見切り材２の前面を通過する。
【００２７】
図７等に示すように、見切り材２の引戸１０側の前面には、見切り材２の長さ方向に沿ってシール材（モヘア）６が設置されることが好ましい。シール材６は、例えば、毛状又はスポンジ状を有し、音漏れや光漏れ、又は、空気の流通を抑制する。
【００２８】
なお、見切り材２の断面は、Ｌ字形状を有する例に限定されない。例えば、見切り材２は、開口部２０の側面２０ａ又は側面２０ｂと、引戸１０が設置される側である壁部２１の壁面２１ａと、壁部２１の前面とは反対側の後面（背面）側の壁面２１ｂを覆うようなコの字形状を有してもよい。
【００２９】
レール付き横枠３は、一方向に長い部材であり、長手方向が開口部２０の幅方向に対して平行に設置される。レール付き横枠３の設置場所は、天井面２２であり、レール付き横枠３の上面３ｃが天井面２２に設置される。レール付き横枠３は、開口部２０を開閉する引戸１０をスライド移動可能に上方から支持する。レール付き横枠３は、横枠の一例である。
【００３０】
レール付き横枠３は、例えばレール７と鴨居８を備え、鴨居８の内部にレール７が収容され、レール７が鴨居８に覆われるように設置される。なお、鴨居８は、横枠本体の一例である。
【００３１】
レール７は、断面が略四角形状を有する中空部材であり、下面７ｂにおいて長手方向に沿って開口した溝７ａが形成される。レール７の内部には、引戸１０の上部と接続された吊車１１が収容され、吊車１１が長手方向に沿って移動することで、引戸１０が壁部２１に沿って移動し、開口部２０に対して開閉する。
【００３２】
鴨居８は、例えば、四角形状の断面を有し、長手方向に対して垂直方向の幅方向（鴨居８が取り付けられたときの奥行方向）に厚みを有する。鴨居８の奥行方向のほぼ中間において、レール７が設置される。図７に示すように、鴨居８には、レール７の外面形状に対応した溝部８ａが形成され、溝部８ａの内部にレール７が収容される。レール７の下面７ｂと鴨居８の下面８ｃは、例えば、ほぼ同一平面内となるように配置される。なお、レール付き横枠３には、レール７の近傍において、鴨居８の下面８ｃから下方に延びた板状のカバー材９が設置されてもよい。カバー材９は、鴨居８の下面８ｃと引戸１０の上面１０ｃに形成される隙間を覆い、光漏れなどを防ぐ。
【００３３】
鴨居８は、上述したとおり、奥行方向に厚みを有し、レール７よりも壁部２１側に延びている。これにより、レール付き横枠３から支持された引戸１０と壁部２１の間には鴨居８の奥行方向の厚み部分によって引戸１０と壁部２１の間に間隔が形成される。
【００３４】
レール付き横枠３は、鴨居８の側面８ｂが壁部２１の壁面２１ａに接するように設置される。これにより、引戸１０と壁部２１の間の間隔が狭くなる。
【００３５】
また、引戸１０の戸先１０ａ側におけるレール付き横枠３の長さ方向の端部３ａは、開口部２０の側面２０ａよりも壁部２１側に位置する。これにより、レール付き横枠３の端部３ａは、開口部２０の外側に延びている。したがって、引戸１０が開口部２０を閉じたとき、引戸１０の戸先１０ａが、開口部２０の側面２０ａよりも引戸１０のスライド方向前方に位置できるようになる。
【００３６】
図９に示すように、レール付き横枠３の端部３ａ，３ｂには、化粧材１２が設置される。化粧材１２が設置されることによって、レール７の端面や鴨居８の端面が覆われて、埃などの侵入を防止したり、美観を向上させたりすることができる。
【００３７】
次に、図７及び図８を参照して、見切り材２の天井面２２側の端部２ａに形成される切欠部１３について説明する。
見切り材２は、開口部２０に設置されたとき天井面２２側に位置する端部２ａにおいて、レール付き横枠３の断面形状に対応して切り欠かれた切欠部１３が形成される。切欠部１３には、少なくともレール付き横枠３の一部が当接される。
【００３８】
見切り材２は、図８に示すように、内面側（壁面２１ａに接する側）と外面側の間において厚さを有する部材である。見切り材２は、開口部２０の側面２０ａ，２０ｂに対して平行な板面を有する第１板部１４と、壁部２１の壁面２１ａに対して平行な板面を有する第２板部１５を備え、第１板部１４と第２板部１５がＬ字状に組み合わされた形状を有する。
【００３９】
図８（ａ）に示すように、見切り材２において開口部２０の側面２０ａ，２０ｂに対して平行方向の幅Ｗ１は、第１板部１４の幅と第２板部１５の厚さを合わせた長さである。また、見切り材２において壁部２１の壁面２１ａに対して平行方向の幅Ｗ２は、第２板部１５の幅と同じである。
【００４０】
第１板部１４の天井面２２側に位置する端部１４ａは、見切り材２が開口部２０に設置されたとき天井面２２に接する。また、切欠部１３にレール付き横枠３が当接されたとき、第１板部１４における第２板部１５側の側面１４ｂは、レール付き横枠３の鴨居８の側面８ｂと接する。第２板部１５の天井面２２側に位置する端部１５ａは、見切り材２が開口部２０に設置されたとき、天井面２２に接さずに、天井面２２から離隔した位置に配置される。また、切欠部１３にレール付き横枠３が当接されたとき、第２板部１５の端部１５ａはレール付き横枠３の鴨居８の下面８ｃと接する。したがって、第１板部１４における第２板部１５側の側面１４ｂと、第２板部１５の天井面２２側に位置する端部１５ａが切欠部１３の内面を構成する。
【００４１】
切欠部１３は、図８（ａ）及び図８（ｄ）に示すように、第１板部１４における第２板部１５側の側面１４ｂが、第２板部１５において壁部２１に接する側の内面１５ｂと一致している。したがって、鴨居８の側面８ｂは、壁部２１の壁面２１ａに接しつつ、切欠部１３の内面、すなわち側面１４ｂに接する。よって、図７に示すように、レール付き横枠３の鴨居８の側面８ｂと、壁部２１の壁面２１ａ又は見切り材２における第１板部１４の側面１４ｂとの間に隙間が形成されない。
【００４２】
さらに、切欠部１３が形成されることによって、第１板部１４の天井面２２側に位置する端部１４ａと、第２板部１５の天井面２２側に位置する端部１５ａとの間の長さＬ（図８（ｃ）参照）は、鴨居８の高さ方向の長さとほぼ同じである。したがって、図７に示すように、レール付き横枠３の鴨居８の下面８ｃと、見切り材２における第２板部１５の天井面２２側に位置する端部１５ａとの間に隙間が形成されない。
【００４３】
次に、本実施形態に係る引戸構造１の設置方法について説明する。
引戸構造１を住宅等の現場で設置する場合、まず、天井高を有する開口部２０の前面（引戸１０が設置される側の面）において、開口部２０の幅方向に対して平行方向にレール付き横枠３を設置する。このとき、レール付き横枠３は、上面３ｃが天井面２２に設置される。また、レール付き横枠３の鴨居８の側面８ｂは、壁部２１の壁面２１ａに接するように設置される。レール付き横枠３は天井面２２や壁面２１ａに当接させることによって基準位置が定まった状態で設置できる。そのため、特段の位置決め作業を行うことなく、レール付き横枠３を取り付けることができる。したがって、鴨居８と壁部２１を離隔して設置する場合に比べて、レール付き横枠３の設置に関して作業時間を短縮でき、作業効率が高くなる。
【００４４】
次に、見切り材２を開口部２０の側面２０ａ，２０ｂに設置する。見切り材２は、一方の端部２ａが天井面２２に接し、他方の端部が床面２３に接するように取り付けられる。本実施形態では、見切り材２の天井面２２側に位置する端部２ａにおいて、切欠部１３が形成されている。したがって、レール付き横枠３と干渉しないように見切り材２を設置できる。また、切欠部１３は、鴨居８の高さに一致するように予め設けられている。これにより、見切り材２とレール付き横枠３の干渉に関して特段の作業を行うことなく、スムーズに見切り材２を開口部２０の側面２０ａ，２０ｂに設置できるため、作業時間を短縮でき、作業効率が高くなる。
【００４５】
以下、本実施形態に係る引戸構造１の作用効果について説明する。
開口部の上部に垂れ壁が設けられる場合（すなわち、開口部の高さが天井高よりも低い場合）、開口部の上面よりも上方の垂れ壁にレール付き横枠を設置させることができ、見切り材とレール付き横枠は、互いに交差しないように配置できる。一方、開口部２０が天井高と同じ高さを有し、レール付き横枠３が天井面２２に取り付けられる場合、天井面２２や開口部２０の上面よりも下方にレール付き横枠３の鴨居８の下面８ｃが位置する。そのため、レール付き横枠３を壁部２１側に寄せようとすると、見切り材２とレール付き横枠３が交差して互いに干渉する可能性がある。
【００４６】
これに対し、本実施形態では、見切り材２において切欠部１３が形成されることから、壁面２１ａに接するようにレール付き横枠３を配置でき、見切り材２とレール付き横枠３が交差する部分において、見切り材２とレール付き横枠３が互いに干渉しない。
【００４７】
見切り材２は、開口部２０の奥行方向において引戸１０側に壁面２１ａよりも突出し、かつ、鴨居８は奥行方向において厚みがあることから、引戸１０が開口部２０を閉じたとき、引戸１０と壁部２１の間の距離が大きくなりやすい。その結果、引戸１０と壁部２１の間に比較的大きな隙間が形成され、光が漏れやすくなるという問題が生じる。
【００４８】
これに対し、本実施形態では、上述したとおり、見切り材２は、端部２ａにおいて切欠部１３が形成され、レール付き横枠３が、見切り材２の切欠部１３に納められて設置される。その結果、レール付き横枠３における鴨居８の側面８ｂを見切り材２の前面よりも壁部２１側に設置できる。したがって、レール付き横枠３から支持された引戸１０と壁部２１との間の距離を短くでき、引戸１０と見切り材２の前面との間の隙間を狭くすることができる。その結果、開口部２０が引戸１０によって閉じられたときの密閉性が向上し、光漏れなどを防止できる。
【００４９】
次に、本実施形態に係る引戸構造１の変形例について説明する。
上述した実施形態では、開口部２０の側面２０ａと側面２０ｂの間や、２本の見切り材２の間において、天井面２２が露出している場合について説明した。この場合、天井高を有する開口部２０において、天井面２２を広く見せることができる。
【００５０】
本発明は、上述した例に限定されず、図１０〜図１２に示すように、開口部２０の側面２０ａと側面２０ｂの間や、２本の見切り材２の間において、開口部横枠材３１が設置されてもよい。開口部横枠材３１が設置される場合、見切り材２の端部２ａは、図１１に示すように、すなわち、上述した実施形態と同様に、天井面２２に接してもよいし、見切り材２の端部２ａは、図１２に示すように、天井面２２に接さず開口部横枠材３１に接してもよい。
【００５１】
図１１に示すように、開口部横枠材３１が設置され、見切り材２が天井面２２に接する長さを有するとき、見切り材２が開口部横枠材３１に対して縦勝ちになるように設置される。
【００５２】
図１２に示すように、見切り材２の端部２ａが開口部横枠材３１に接する場合、端部２ａは、開口部横枠材３１を間に挟みつつ、天井面２２に対向するように取り付けられている。開口部横枠材３１の高さが鴨居８の高さよりも低い場合は、上述した実施形態と同様に、見切り材２に切欠部１３を設けることができる。この場合も、レール付き横枠３が、見切り材２の切欠部１３に納められて設置されることで、レール付き横枠３における鴨居８の側面８ｂを見切り材２の前面よりも壁部２１側に設置できる。したがって、レール付き横枠３から支持された引戸１０と壁部２１との間の距離を短くでき、開口部２０が引戸１０によって閉じられたときの密閉性が向上する。
【００５３】
また、上述した実施形態では、縦枠の例として見切り材２の場合について説明したが、本発明はこの例に限定されない。すなわち、縦枠は、図１３に示すように、引戸１０が開口部２０を閉じたとき、引戸１０の戸先１０ａが当接する枠材３２であってもよい。このような枠材３２は、開口部２０を閉じたときの引戸１０の戸先１０ａ側に位置する開口部２０の側面２０ａに設置される。枠材３２が設置される場合、引戸１０は、見切り材２の場合と異なり、枠材３２の前面に位置したり、枠材３２の前方を通過したりせずに、枠材３２における開口部２０の側面２０ａと平行な面が引戸１０の戸先１０ａと当接する。枠材３２に対しても上述した切欠部１３を設けることができ、レール付き横枠３が、枠材３２の切欠部１３に当接されて設置されることで、レール付き横枠３を壁部２１側に設置できる。
【符号の説明】
【００５４】
１      ：引戸構造
２      ：見切り材
３      ：レール付き横枠
４      ：ストッパー
５      ：ガイドピン
６      ：シール材
７      ：レール
８      ：鴨居
９      ：カバー材
１０    ：引戸
１１    ：吊車
１２    ：化粧材
１３    ：切欠部
１４    ：第１板部
１５    ：第２板部
２０    ：開口部
２１    ：壁部
２２    ：天井面
２３    ：床面
３１    ：開口部横枠材
３２    ：枠材
【図１】
2020180525.tif 000003
【図２】
2020180525.tif 000004
【図３】
2020180525.tif 000005
【図４】
2020180525.tif 000006
【図５】
2020180525.tif 000007
【図６】
2020180525.tif 000008
【図７】
2020180525.tif 000009
【図８】
2020180525.tif 000010
【図９】
2020180525.tif 000011
【図１０】
2020180525.tif 000012
【図１１】
2020180525.tif 000013
【図１２】
2020180525.tif 000014
【図１３】
2020180525.tif 000015